(57)【要約】【課題】中間調画像データをファクシミリ送信する場合には、装置本体側の電話回線を優先使用するようにしたファクシミリ装置を提供する。【解決手段】装置本体は、中間調と判別された画像の送信を行う際に、装置本体側がファクシミリ通信中であれば、メモリ送信によって装置本体側からファクシミリ送信する構成とされる送信制御手段を備えている。【選択図】図１
2006060543.tif 000002
【特許請求の範囲】
【請求項１】
通信回線の接続端子を有しファクシミリ通信を行うオプション基板を、そのオプション基板の解像度変換回路よりも高機能な解像度変換回路を備えている装置本体に接続し、そのオプション基板側と装置本体側とによって２回線の独立したファクシミリ通信が可能なファクシミリ装置において、
上記装置本体は、中間調と判別された画像の送信を行う際に、装置本体側がファクシミリ通信中であれば、メモリ送信によって装置本体側からファクシミリ送信する構成とされる送信制御手段を備えている、ファクシミリ装置。
【請求項２】
通信回線の接続端子を有しファクシミリ通信を行うオプション基板を、そのオプション基板の解像度変換回路よりも高機能な解像度変換回路を備えている装置本体に接続し、そのオプション基板側と装置本体側とによって２回線の独立したファクシミリ通信が可能なファクシミリ装置において、
上記装置本体は、
装置本体側を受信専用に、かつオプション基板側を送信専用または送受信に設定することを禁止している通信方向設定手段と、
装置本体側、オプション基板側のいずれかを設定された通信方向に従って選択して、ファクシミリ送信を行う送信制御手段とを備えている、ファクシミリ装置。
【請求項３】
請求項２において、
上記送信制御手段手段は、
オプション基板側が送信専用または送受信に設定されているときには、
中間調と判別された画像の送信を行う際に、装置本体側がファクシミリ通信中であれば、オプション基板側からその画像をファクシミリ送信せずに、メモリ送信によって装置本体側からファクシミリ送信する構成とされる、ファクシミリ装置。
【請求項４】
請求項１〜３のいずれかにおいて、
上記装置本体の解像度変換回路は、少なくとも中間調画像の解像度変換をするときには、変換後の画素の黒白を補間によって決定する解像度変換を行う構成とされ、かつ、
上記オプション基板の解像度変換回路は、常に単純間引きで解像度変換を行う構成とされる、ファクシミリ装置。
【発明の詳細な説明】
【技術分野】
【０００１】
本発明は、通信回線の接続端子を有しファクシミリ通信を行うオプション基板を、そのオプション基板の解像度変換回路よりも高機能な解像度変換回路を備えている装置本体に接続し、そのオプション基板側と装置本体側とによって２回線の独立したファクシミリ通信が可能なファクシミリ装置の改良に関する。
【背景技術】
【０００２】
従来より、複数の電話回線を接続し、２回線を使用してファクシミリ通信を行うファクシミリ装置が普及してきている。例えば、下記特許文献１では、２回線を使用したファクシミリ装置が開示されており、各々の回線に対応する通信履歴を参照しながら、時刻指定送信に使用すべき回線を決定できる点、開示されている。
【０００３】
このような２回線接続対応とするためには、オプション基板を追加させる場合が多く、装置本体側に第１電話回線、オプション基板側に第２電話回線を設け、それぞれの基板に対してファクシミリ通信機能を持たせている。
【特許文献１】特開２００２−１３２７２６号公報
【発明の開示】
【発明が解決しようとする課題】
【０００４】
しかしながら、オプション基板は、コンパクト化、低価格化のため、高画質変換回路を備えていない場合が多い。一方、メイン基板側には高画質変換回路を備えている場合が多い。このような場合、相手機の能力に応じて、ファクシミリ送信すべき画像の変換する際には、オプション基板側では高画質画像変換回路がないため、単なる間引き処理になってしまい、モアレが生じやすいといった問題がある。一方、メイン基板側では、高画質変換回路があるため、補間を用いて画質を劣化させない変換を行うので、モアレが生じるといった問題がない。このような問題が、中間調画像データをファクシミリ送信する際に多く生じうる。
【０００５】
本発明は、上記事情を考慮して提案されるものであり、中間調画像データをファクシミリ送信する場合には、装置本体側の電話回線を優先使用するようにしたファクシミリ装置を提供することを目的とする。
【課題を解決するための手段】
【０００６】
上記目的を達成するために提案される請求項１では、装置本体は、中間調と判別された画像の送信を行う際に、装置本体側がファクシミリ通信中であれば、メモリ送信によって装置本体側からファクシミリ送信する構成とされる送信制御手段を備えている。
【０００７】
請求項２では、装置本体は、装置本体側を受信専用に、かつオプション基板側を送信専用または送受信に設定することを禁止している通信方向設定手段と、装置本体側、オプション基板側のいずれかを設定された通信方向に従って選択して、ファクシミリ送信を行う送信制御手段とを備えている。
【０００８】
請求項３では、送信制御手段は、オプション基板側が送信専用または送受信に設定されているときには、中間調と判別された画像の送信を行う際に、装置本体側がファクシミリ通信中であれば、オプション基板側からその画像をファクシミリ送信せずに、メモリ送信によって装置本体側からファクシミリ送信する構成とされる。
【０００９】
請求項４では、装置本体の解像度変換回路は、少なくとも中間調画像の解像度変換をするときには、変換後の画素の黒白を補間によって決定する解像度変換を行う構成とされ、かつ、オプション基板の解像度変換回路は、常に単純間引きで解像度変換を行う構成とされる。
【発明の効果】
【００１０】
請求項１によれば、装置本体は、中間調と判別された画像の送信を行う際に、装置本体側がファクシミリ通信中であれば、メモリ送信によって装置本体側からファクシミリ送信するので、中間調画像データをファクシミリ送信する場合には、装置本体側の電話回線が優先使用され、装置本体側の高画質変換機能によって、モアレのない品質のよい画像をファクシミリ送信できる。
【００１１】
請求項２では、装置本体は、装置本体側を受信専用に、かつオプション基板側を送信専用または送受信に設定することを禁止しているので、高画質変換機能のないオプション側よりファクシミリ送信がされ、モアレの生じた画像を送信することを未然に防止できる。
【００１２】
また、装置本体側、オプション基板側のいずれかを設定された通信方向に従って選択して、ファクシミリ送信を行うので、ユーザの好みに応じて、両者を使いわけることができる。
【００１３】
請求項３では、オプション基板側が送信専用または送受信に設定されているときには、中間調と判別された画像の送信を行う際に、装置本体側がファクシミリ通信中であれば、オプション基板側からその画像をファクシミリ送信せずに、メモリ送信によって装置本体側からファクシミリ送信するので、たとえ、オプション基板側がファクシミリ送信できるように設定されていたとしても、中間調データだけは装置本体から送信され、品質のよい画像データをファクシミリ送信できる。
【発明を実施するための最良の形態】
【００１４】
以下に、本発明の実施の形態について説明する。
【実施例１】
【００１５】
図１は、本発明のファクシミリ装置の基本構成の一例を示すブロック図である。このファクシミリ装置Ｆは、装置本体側の構成要素１〜１０と、構成要素１１〜１７を有するオプション基板Ｏとで構成される。
【００１６】
装置本体側では、装置本体全体を制御し、送信制御手段と通信方向設定手段とを構成するＭＰＵ１と、この装置Ｆが動作するために必要な各種プログラムなどを記憶したＲＯＭ２と、後述する通信方向設定テーブル３Ａを有するＲＡＭ３と、画像データを一時格納する画像メモリ４と、少なくとも中間調と判別された画像に対しては、変換後の黒白を補間によって決定する解像度変換をする高機能画像変換回路５と、操作表示部６と、セットされた原稿を読み取り画像データを生成するプリンタ８と、電話回線１に対する接続制御をするＮＣＵ９と、電話回線１を通じたファクシミリ通信のために信号の変復調をするモデム１０とを備える。
【００１７】
一方のオプション基板Ｏには、このオプション基板Ｏの制御をするＭＰＵ１１と、デュアルポートＲＡＭ１２と、ＲＡＭ１３，ＲＯＭ１４，電話回線２に対する接続制御をするＮＣＵ１５と、電話回線２を通じたファクシミリ通信のために信号の変復調をするモデム１６と、解像度変換部（コーデック）１７とを備える。
【００１８】
解像度変換部１７は、高機能解像度変換回路５とは異なり、常に単純間引きで解像度変換を行う。
【００１９】
装置本体側の通信方向設定テーブル３Ａは、例えば、図２に示すような構成をしている。すなわち、設定ＮＯのそれぞれに応じて、電話回線１，電話回線２の各々がファクシミリ送信用、ファクシミリ受信用、いずれであるか登録されている。なお、ＮＯ．４（Ｆ＝００）に対しては、電話回線１，２いずれも、ファクシミリ送信用、受信用双方有効となっている。
【００２０】
このようなテーブル３Ａを用いて、装置ＦのＲＡＭ３などには、電話回線１，２の各々に対して、ファクシミリ通信の用途を割付設定できる。この処理は、図３のフローチャートで示す処理をもって行われる。すなわち、所定操作により通信方向設定モードが実行され、割付設定を行うか解除を行うかの選択画面が表示される（１００）。
【００２１】
この画面は、図示は省略するが、電話回線１，２の送信、受信の設定を行うか、それとも解除するかを選択できる画面であればよい。
【００２２】
そして、解除する旨の選択がされたときには（１０１）、電話回線１，２に対して、送信、受信いずれの用途も割付設定せず、それまでに送信、受信が設定されていたらこれを解除する。そして、表示操作部６に、「設定解除しました」とする旨表示する（１０２，１０３）。
【００２３】
一方、設定する旨が選択されたときには（１０１）、以下のように処理を行う。
【００２４】
すなわち、ＮＯ．１（Ｆ＝０１）、ＮＯ．２（Ｆ＝１０）、ＮＯ．３（Ｆ＝１１）のいずれを選択するかを促す通信方向選択表示画面を表示する（１０４）。
【００２５】
そして、ＮＯ．１が選択されたときには、電話回線１をファクシミリ送信用、電話回線２をファクシミリ送信用とそれぞれ割り付け設定し、その旨を表示する（１０５，１０６、１０７）。
【００２６】
また、ＮＯ．２が選択されたときには、電話回線１をファクシミリ送信用、電話回線２をファクシミリ受信用とそれぞれ割り付け設定し、その旨を表示する（１０５，１０８，１０９）。
【００２７】
更に、ＮＯ．３が選択されたときには、電話回線１をファクシミリ受信用、電話回線２をファクシミリ受信用とそれぞれ割り付け設定し、その旨を表示する（１０５，１１０，１１１）。
【００２８】
このような割付設定処理では、少なくとも、電話回線１を受信専用、かつ、電話回線２を送信専用とする選択項目は用意されていない。なぜなら、このような設定は禁止すべきだからである。すなわち、中間調画像を高画質に解像度変換して送るには高画質変換回路５が必要であり、それには高機能画像変換回路５を備えた本体側から送信すべきだからである。なお、電話回線２には、送受信専用とするのを禁止するようにしてもよい。すなわち、電話回線１を受信専用、電話回線２を送信専用とする設定は禁止されなければいけないからである。
【００２９】
このような処理で電話回線１，２の用途が設定されたときには、本ファクシミリ装置Ｆは、以下のように動作する（図４，５）。
【００３０】
すなわち、送信ジョブが指定された場合には（２００）、電話回線１，２の用途の割付設定状態を判別する。その結果、先のＮＯ．１（Ｆ＝０１）かＮＯ．４（Ｆ＝００）の情報が設定されている場合には（２０１）、ステップ２０２以降の処理を行う。一方、ＮＯ．１（Ｆ＝０１）かＮＯ．４（Ｆ＝００）以外の情報が設定されている場合には、後述する処理を行う。
【００３１】
ステップ２０２では、電話回線１が使用中か否か判別する。電話回線１が使用中でなければ、電話回線１を通じたファクシミリ送信を行う（２０３）。また、電話回線１が使用中であれば、電話回線２が使用中か否か判別する（２０４）。
【００３２】
その結果、電話回線２が使用中であれば、ファクシミリ送信すべき原稿が中間調であるか否か判別する（２０５）。中間調であれば、電話回線１によるメモリ送信予約をし（２０７）、電話回線１が空き次第、高画質画像変換回路５で画像変換し、ファクシミリ送信をする。
【００３３】
また、ステップ２０４で電話回線２が使用中である場合にも、電話回線１によるメモリ送信予約をし（２０７）、電話回線１が空き次第、高画質画像変換回路５で画像変換し、ファクシミリ送信をする。
【００３４】
一方、ステップ２０４で電話回線２が使用中ではない場合であって、ステップ２０５で中間調画像でないと判別すれば、電話回線２によるファクシミリ送信を行う（２０６）。
【００３５】
次に、ステップ２０１による判別によって、電話回線１，２の割付設定が、ＮＯ．１，４のいずれでもない場合の動作について、図４のフローチャートとともに説明する。
【００３６】
まず、ステップ３００においては、割付設定が、ＮＯ．２であるか判別する。ＮＯ．２の割付設定状態であれば、電話回線１が使用中か否か判別する（３０１）。電話回線１が使用中でなければ、電話回線１によるファクシミリ送信をする（３０２）。そのとき、画像データは高画質画像変換回路５により画像変換される。
【００３７】
一方、割付設定が、ＮＯ．２の場合であって、電話回線１が使用中であれば（３０１）、電話回線２は受信専用なので、電話回線１によるメモリ送信予約をし（３０３）、電話回線１が空き次第、高画質画像変換回路５で画像変換し、ファクシミリ送信をする。
【００３８】
更に、ステップ３００において、割付設定が、ＮＯ．２でない場合は、電話回線１，２の割付設定はＮＯ．３でしかありえないので、表示操作部６には、例えば、「この装置は受信専用です。送信はできません」と表示して、受信専用の装置である旨通知し、送信ジョブをキャンセルする（３０４，３０５）。
【００３９】
次に、ステップ２００による判別によって、指定されたジョブが送信ジョブでない場合を、図６のフローチャートとともに説明する。
【００４０】
ここでは、送信ジョブ以外のジョブとして、受信ジョブについて例示している。すなわち、電話回線１に呼出信号の受信があれば（４００）、電話回線１，２の割付設定状態を判別する。その結果、ＮＯ．３，４のいずれかであれば（４０１）、電話回線１をＮＣＵ９に接続して、電話回線１を通じたファクシミリ受信をする（４０２，４０３）。一方、電話回線１，２の割付設定状態が、ＮＯ．３，４のいずれでもなければ（４０１）、電話回線１は送信専用となっているため、何らジョブをせず、ステップ２００に戻る。
【００４１】
一方、電話回線２に呼出信号の受信があれば（４００）、電話回線１，２の割付設定状態がＮＯ．１であるか識別し、そうであれば、電話回線２は送信専用となっているため、何らジョブをせず、ステップ２００に戻る。一方、電話回線１，２の割付設定状態がＮＯ．１でなければ（４０４）、ＮＯ「１０」になっているため、電話回線２をＮＣＵ１５に接続して、電話回線２を通じたファクシミリ受信をする（４０５，４０６）。
【図面の簡単な説明】
【００４２】
【図１】本発明の基本構成の一例を示す図
【図２】通信方向設定テーブルの構成の一例を示す図
【図３】電話回線１，２の割付設定処理について説明するためのフローチャート
【図４】本発明の基本動作について説明するためのフローチャート
【図５】本発明の基本動作について説明するためのフローチャート
【図６】本発明の基本動作について説明するためのフローチャート
【符号の説明】
【００４３】
Ｆ  ファクシミリ装置
Ｏ  オプション基板
３Ａ  通信方向設定テーブル
５  高機能解像度変換回路
１７  解像度変換回路
【図１】
2006060543.tif 000003
【図２】
2006060543.tif 000004
【図３】
2006060543.tif 000005
【図４】
2006060543.tif 000006
【図５】
2006060543.tif 000007
【図６】
2006060543.tif 000008